(57)【特許請求の範囲】
【請求項１】
外郭用の固定機枠をなす外枠(A)と搭載用の開閉機枠をなす前枠(B)とを、互いの左側縁上下に配設された連結手段(H1,H2)により開閉および着脱可能に組付け支持して、縦向き設置姿勢で遊技に供し得る縦型遊技機において、
前記下の連結手段(H2)では、前記外枠(A)の左隅端前部に垂立固定された支軸(22)と、前記前枠(B)の左隅端前部に形成された軸孔(23)とが、互いに公差的な嵌挿寸法を以って上下方向に着脱可能で左右方向に回動可能な条件で嵌挿連結され、
前記上の連結手段(H1)では、前記外枠(A)の左上隅角部に固定されて左端前部に支軸(25)を下向きに固定した支持具(24)と、前記前枠(B)の左上端部に固定されて左端前部の軸受部(30)の後面を開口して前記支軸(25)を嵌合・離脱し得る軸孔(27)を形成した受け具(26)と、この受け具(26)の水平上面で前記支軸(25)を案内し得る位置に回動可能に軸支されてバネ(36)により前記軸孔(27)の開口側面を常に閉鎖する位置と開放する位置とに変位可能とされた開閉部材(28)とを備え、該開閉部材(28)の左外側縁に、前記支持具(24)の支軸(25)を前記軸孔(27)に当接案内し得る円弧状の案内面(37)を形成すると共に、開閉部材(28)の前端縁に、該開閉部材(28)の回動に伴い前記軸孔(27)の開口側面を開閉する開閉部(38)を形成する一方、同開閉部材(28)の案内面(37)と前記受け具(26)の左端との間に、前記前枠(B)における枠体(14)の厚み方向に常に広く開口して前記支軸(25)を左右の広角範囲から受入れ得る受出し口(29)を形成することで、
前記上の連結手段(H1)における支持具(24)の支軸(25)を受け具(26)の受出し口(29)に相対的に出入れし得る条件のもとで、同支軸(25)が前記案内面(37)に当接することで、案内面(37)が変位しながら軸孔(27)の開口側面の右側縁に整合されて、支軸(25)を該案内面(37)に沿って軸孔(27)に案内するようにした
ことを特徴とする縦型遊技機の連結支持装置。
【発明の詳細な説明】
【０００１】
【発明の属する技術分野】
この発明は、外郭用の固定機枠ともされる外枠と、搭載用の開閉機枠ともされる前枠とを合わせて機体とし、縦向きの設置姿勢で遊技に供される縦型遊技機の連結支持装置に関するものである。
【０００２】
【従来の技術】
パチンコ機やアレンジボール機に代表されるこの種の縦型遊技機では、縦長方形の外枠の開口前面側に、各種の必要な遊技構成部材を搭載して遊技盤を収容セットした前枠が、両枠側縁の上,下部に配設された連結手段を利用して開閉(横開き)および着脱可能に組付けられて１台単位で構成される。そして製造工場内等に保管されたり出荷(運送)される場合には、前述した機体単位で縦向きまたは横向きの姿勢で取扱われ、一方遊技店内の設置枠台(通称「島」)に設置される場合には、前枠側と一旦組外された外枠が所定の縦向き傾斜姿勢で固定保持されたもとで、前枠全体を組付けセットして遊技に供される。ちなみに機体の組付けについては、工場内の最終組立て工程部で１台分ずつ行なわれるが、遊技機の取扱いや実施過程においては、点検,設置傾き調整等の必要に応じて、外枠と前枠とが組外し(分離)されて再び組付けられることがある。
【０００３】
前述した縦型遊技機にあって、機体を構成する外枠と前枠との組付けに係る上下の連結手段については、最も一般化されている形式として軸,孔を含む嵌挿連結タイプが多用されており、図１３に示すように、上の連結手段では外枠Ａおよび前枠Ｂの各左上隅角部に固定された受け金具８０と支持金具８２とが組とされ、また下の連結手段では外枠Ａおよび前枠Ｂの各左下隅部に固定された受け金具８５と支持金具８７とが組とされている。そして機体の組付けに際しては、外枠Ａを起立不動状態に保持したもとで前枠Ｂを外枠Ａの上方に位置合わせして、先ず上の支持金具８２の軸孔８３に上の受け金具８０の支軸８１を一旦仮嵌めし、そして下の支持金具８７の軸孔８８に下の受け金具８５の支軸８６を合わせたもとで、前枠Ｂ全体を下げ降ろして上下各組の支軸８１,８６および軸孔８３,８８を一度に嵌め合わせて、各組の金具８０,８２および金具８５,８７同志を連結支持するようになっている。
【０００４】
【発明が解決しようとする課題】
しかし、上の支持金具８２の軸孔８３に上の受け金具８０の支軸８１を一旦仮嵌めした状態で、下の支持金具８７の軸孔８８に下の受け金具８５の支軸８６を位置合わせする作業は、遊技構成部材や遊技盤を搭載して前枠Ｂの全体がかなり重くなっているために相当な重労働となる。また、位置合わせ作業に際して外枠Ａの変動や倒れ等を招くおそれがあり、作業者が一人で行なうのは困難で手間が掛かる作業となっている。
【０００５】
【発明の目的】
本発明は、前述した課題を解決するために新たに提案されたものであって、外枠と前枠との組付けおよび組外しを手早く安全にかつ楽に行ない得るようにした縦型遊技機の連結支持装置を提供することを目的とする。
【０００６】
【課題を解決するための手段】
前述した課題を解決し、所期の目的を達成するため、本発明に係る縦型遊技機の連結支持装置は、
外郭用の固定機枠をなす外枠と搭載用の開閉機枠をなす前枠とを、互いの左側縁上下に配設された連結手段により開閉および着脱可能に組付け支持して、縦向き設置姿勢で遊技に供し得る縦型遊技機において、
前記下の連結手段では、前記外枠の左隅端前部に垂立固定された支軸と、前記前枠の左隅端前部に形成された軸孔とが、互いに公差的な嵌挿寸法を以って上下方向に着脱可能で左右方向に回動可能な条件で嵌挿連結され、
前記上の連結手段では、前記外枠の左上隅角部に固定されて左端前部に支軸を下向きに固定した支持具と、前記前枠の左上端部に固定されて左端前部の軸受部の後面を開口して前記支軸を嵌合・離脱し得る軸孔を形成した受け具と、この受け具の水平上面で前記支軸を案内し得る位置に回動可能に軸支されてバネにより前記軸孔の開口側面を常に閉鎖する位置と開放する位置とに変位可能とされた開閉部材とを備え、
該開閉部材の左外側縁に、前記支持具の支軸を前記軸孔に当接案内し得る円弧状の案内面を形成すると共に、開閉部材の前端縁に、該開閉部材の回動に伴い前記軸孔の開口側面を開閉する開閉部を形成する一方、同開閉部材の案内面と前記受け具の左端との間に、前記前枠における枠体の厚み方向に常に広く開口して前記支軸を左右の広角範囲から受入れ得る受出し口を形成することで、
前記上の連結手段における支持具の支軸を受け具の受出し口に相対的に出入れし得る条件のもとで、同支軸が前記案内面に当接することで、案内面が変位しながら軸孔の開口側面の右側縁に整合されて、支軸を該案内面に沿って軸孔に案内するようにしたことを特徴とする。
【０００７】
【作用】
外枠に対する前枠の組付けに際しては、先ず下の連結手段における外枠側に固定した支軸と前枠側に形成した軸孔とを上下方向に嵌挿連結し、このもとで上の連結手段における外枠側に固定した支軸と前枠側に形成した軸孔とを横方向から嵌合連結する。このとき上の連結手段に関しては、前枠上部を外枠側へ移動させて前記支軸を受出し口へ受入れさせると、開閉部材が閉鎖位置から開放位置へ変位して開口側面を開放するので該支軸を横方向から軸孔へ嵌合させることができ、嵌合後は開閉部材がバネの付勢下に閉鎖位置へ復帰して支軸がロック拘束状態に保持される。また、外枠に対する前枠の組外しに際しては、先ず上の連結手段における支軸と軸孔との嵌合連結を解除し、次いで下の連結手段における支軸と軸孔との嵌挿連結を解除する。このとき上の連結手段に関しては、開閉部材を開放位置へ変位させて開口側面を開放させたもとで、前枠上部の移動下に前記支軸を該開口側面を介して受出し口へ引出すことにより、支軸と軸孔とが横方向へ分離される。
【０００８】
【発明の実施の形態】
次に、本発明に係る縦型遊技機の連結支持装置につき、好適な実施例を挙げて添付図面を参照しながら、以下詳細に説明する。なお本実施例では、縦型遊技機として、遊技店内の設置枠台(島)に所定の縦向き後傾姿勢に固定保持されて遊技に供されるパチンコ機を主に示す。
【０００９】
本実施例のパチンコ機Ｐは、その基本的構成の概要として、図１に略示するように、外郭用の固定機枠をなす縦長矩形状の外枠Ａの開口前面側に、各種の遊技用構成部材を搭載セットする搭載用の開閉機枠をなす縦長方形の前枠Ｂが、後述する左側上下の連結手段Ｈ1,Ｈ2により着脱および開閉可能に組付け支持されると共に、右側の施錠手段(図示せず)により閉鎖状態に保持される。この前枠Ｂの前面側に、遊技盤Ｄの透視保護窓であるガラス扉Ｃと、上球皿Ｅを固定装備した開閉板５１とが、横開き形態で開閉可能に組付け整合される。また、前枠Ｂの下部に下球皿Ｆおよび打球発射装置Ｇが装着セットされ、更に前枠Ｂの裏側に各種の球経路および球処理・払出部等を備えた機構セット盤(図示せず)がセットされ、これにより一台のパチンコ機が形成される。
【００１０】
このようなパチンコ機Ｐにあって前記外枠Ａは、例えば図２に示すように、上下および左右の４本の枠部材１０,１１,１２,１３を枠組み連結して縦長方形に構成されて、全ての枠部材によって画成される開口前面域に前枠Ｂを整合し得るようになっている。なお本実施例に係る外枠Ａは、木材により成形された上,左の枠部材１０,１２を共通用として、樹脂材により成形された右,下の枠部材１３,１１を２通りのサイズのものに置換連結することにより、一般に「関東枠、関西枠」と呼称区分されているタイプのものに変更し得るタイプを例示している。
【００１１】
前記前枠Ｂは、図３に示すように全体が合成樹脂成形されたものが例示され、前記外枠Ａの開口前面域に整合する外形サイズに成形されて内側に正面縦長方形の窓枠口１５を開口した枠体１４と、この枠体１４の裏側に一体成形されて前記窓枠口１５の正面内部に臨む遊技盤用のセット口１７を開口したセット保持枠１６とが、前後に一体的に連設された内外二重枠形態とされている。なお、前枠Ｂは一定の枠サイズとされて、前述した両タイプの外枠Ａに共通の連結手段Ｈ1,Ｈ2で組付け得るよう構成される。
【００１２】
また前記枠体１４においては、窓枠口１５の下部に下球皿Ｆや前記打球発射装置Ｇを設置するための設置盤１８が成形される一方、該窓枠口１５は、前面側から出入れ(着脱)される遊技盤Ｄのセット面域および出入れ口ともされ、その下部開口面域内に上球皿Ｅ(開閉板５１)を開閉可能に組付けセットし得るようになっている。前記セット保持枠１６においては、窓枠口１５の下部内側において前記上球皿Ｅに整合する位置に遊技補助盤１９が一体成形されており、この遊技補助盤１９の上端縁を基準にして前記セット口１７が開口される。ちなみに前枠Ｂは、枠体１４で構成されるタイプのものとして、窓枠口１５の裏側に別成形されたセット保持枠１６を整合固定するものであってもよい。
【００１３】
前述した外枠Ａと前枠Ｂとの機体に係る前記連結手段については、下の連結手段Ｈ2が軸・孔の上下嵌挿連結タイプであり、上の連結手段Ｈ1が軸・孔の側方嵌合ロックタイプであって、双方の連結手段Ｈ1,Ｈ2の連結支点が同一垂直線上に整合されている。そこで具体的な構成として、まず下の連結手段Ｈ2では、図２〜図６に示すように、外枠Ａの下枠部材１１の左上端部にビス固定される下支持受具２０と、前枠Ｂの枠体１４の左下隅角部にビス固定される下支持具２１が主体とされて、下支持受具２０の水平片部２０ａに垂直固定された支軸２２の上方に延出する軸部２２ａが、下支持具２１の水平片部２１ａに形成した軸孔２３に対して上下方向に着脱可能に嵌挿される。このように構成された下の連結手段Ｈ2では、下支持受具２０,下支持具２１および支軸２２を含む強固な構造を以って、相当な重量物とされる前枠Ｂ全体の荷重を集中的に受けても充分耐久し得る連結強度が維持される。そして、軸孔２３に対して支軸２２が嵌挿されているもとでは、前枠Ｂが垂立位置の外枠Ａを基準に観て、左寄り,手前寄りおよび右寄りの広範囲内での起立姿勢に適宜傾き(１０度以上)が許容されるようになっている。
【００１４】
これに対して、前記上の連結手段Ｈ1では、軸・孔を左右の広角的な方向,位置から横嵌め連結して自動ロックし得る形式として、基本的には図２〜図６に示すように、外枠Ａの左上隅角部にビス固定されて支片部２４ｃに支軸２５を垂下固定した支持具２４と、前枠Ｂにおける枠体１４の左上端部にビス固定されて水平片部２６ａに鈎状の軸孔２７を形成した受け具２６と、この受け具２６の水平上面に回動可能に支持されて軸孔２７の開口側面の閉鎖位置と開放位置とに変位可能とされた開閉部材２８とから構成されている。そして、受け具２６の水平上面端と開閉部材２８の外側端(図７中では左側端)との間に、枠体１４の左上端の厚み方向に常に開口する受出し口２９を形成すると共に、開閉部材２８は指先操作により開放位置(軸孔２７を開放し支軸２５を拘束しない位置)へ回動させ得るよう構成されている。なお支持具２４および受け具２６は金属材で、また開閉部材２８は硬質樹脂材で夫々成形されたものを例とし、夫々の所定部位に孔,ねじ孔等が形成されている。ちなみに受け具２６と開閉部材２８とは、互いに組付けられた１つの部材(部品)として取扱われて使用し得る。
【００１５】
このような上の連結手段Ｈ1の具体的な構成において、支持具２４は水平片部２４ａと垂下片部２４ｂとを含むＬ形状に成形されて、外枠Ａの上,左枠部材１０,１２に当ててカシメピンやビス等で固定されており、そして水平片部２４ａの左端前縁から前向き水平に延出形成された半円庇状の支片部２４ｃの中心部に前記支軸２５が下向き垂直に固定され、また支片部２４ｃ左外縁から垂下片部２４ｂ前縁に亘り案内保護片２４ｄが下向きに折曲形成されて、支片部２４ｃの強化や前記受け具２６の組付け案内および開閉部材２８の保護を図るようになっている(図９および図１０参照)。これに対する受け具２６は、水平片部２６ａおよび垂下片部２６ｂを含むＬ形状に成形されて、前枠Ｂの枠体１４左端に合わせた位置で上端面と裏面に当てて固定されており、その水平片部２６ａの左端前縁に半円庇状の受け片部２６ｃが水平前向きに延出形成され、この受け片部２６ｃ上に、側面(後面)を開口した前記軸孔２７が略中心部に形成された軸受部としての軸受片３０が、ビスまたはカシメ付けにより強固に固定されている。また水平片部２６ａの所定位置に支ピン３１および案内ピン３２が垂立固定してある。なお受け具２６は、その垂下片部２６ｂと前枠Ｂの枠体１４そして枠体１４前面に当接される座盤６０とが複数のネジ６１を介して固定された例を示す。
【００１６】
一方、前記開閉部材２８は、前述した受け具２６の水平片部２６ａ上で旋回動し得るハンドルレバー形式の例において、図７に示す如く、平面略Ｐの字形状に成形されて指先操作し得るレバー体３３が、基端部３４を前記支ピン３１に嵌挿支持すると共に回動支点(支ピン３１)から所定の半径位置に形成された円弧状の案内孔３５に前記案内ピン３２を嵌挿した状態で組付けられており、図示のねじりバネ３６により常にはロック拘束(閉鎖)位置側に付勢されたもとで、支軸２５との当接力および指先操作力によりロック解除(開放)位置側へ変位し得るようになっている。そして、受け具２６の水平片部２６ａの左端とレバー体３３の左外側縁との間に前記受出し口２９が常に広く開口されて、支軸２５を広角範囲から受入れ得るようにした条件のもとで(図１１参照)、レバー体３３の左外側縁に支軸２５を当接案内し得る円弧状の案内面３７が形成され、また回動支点(支ピン３１)から離れた前端縁に前記軸孔２７の開口側面を開閉し得る開閉部３８が円弧状に形成されている。なおレバー体３３の一部に摘み３９が形成され、また案内面３７と開閉部３８との交差隅部が、軸孔２７の開口側面の一方の段差縁４０に係止し得るようになっており、レバー体３３のロック拘束位置では、案内孔３５の後端部が案内ピン３２に係止されると共に該交差隅部が段差縁４０に係止される(図８参照)。
【００１７】
前記機体の組付けにおける支軸２５と軸孔２７との係合においては、レバー体３３が通常の閉鎖位置から開放位置に変化することにより、案内面３７が右傾変位しながら軸孔２７の開口側面の右側縁に整合され、支軸２５の軸孔２７への嵌合が許容されるよう設定されている(図１２(ｂ)参照)。なお、前記受け具２６における受け片部２６ｃには、前記ガラス扉Ｃに配設した後述する可動軸４９の軸部４９ａが下方から挿脱可能に嵌挿連結される軸孔４１が穿設されている。また受け具２６と開閉部材２８との間に薄板４２が介挿され、該薄板４２により軸孔４１の上開口部を塞ぐよう構成してある。但し、軸孔４１を、受け片部２６ａを貫通しない凹部として形成すれば、薄板４２を省略することができる。
【００１８】
このように構成された上の連結手段Ｈ1では、外枠Ａ側の支軸２５と前枠Ｂ側の軸孔２７との横嵌め係合を以って、前枠Ｂ全体の荷重を受けても充分耐久し得る連結強度が維持される。そして、前枠Ｂ側に固定された受け具２６における受出し口２９を枠体１４の左上隅端部の厚み方向に開口していることにより、支軸２５を基準に観て受出し口２９を左,前および右の各方向に亘る広角範囲内の何れの位置からでも合わせることができ、この条件によって外枠Ａに対して前枠Ｂが、広範囲内の任意の向きで組付け,組外すことが可能となる。また外枠Ａに対して前枠Ｂを適宜横開きしたもとで、受け具２６における開閉部材２８をロック解除位置に回動し、軸孔２７から支軸２５を離脱した以後は、前枠Ｂ全体を両手で把持して安全に組外すことができる。
【００１９】
次に、前記前枠Ｂに対するガラス扉Ｃおよび開閉板５１の開閉連結支持構造につき説明する。図４および図５に示すように、前記前枠Ｂの枠体１４における左端前面の略中段部に下支持受具４３が固定されると共に、前記ガラス扉Ｃにおける扉体４４の左下隅角部に下支持具４５が固定され、下支持受具４３の水平片部４３ａに垂直固定された支軸４６の上軸部４６ａが、下支持具４５の水平片部４５ａに形成した軸孔４７に対して上下方向に着脱可能に嵌挿されて、前枠Ｂにガラス扉Ｃの下部が開閉自在に連結されるよう構成される。またガラス扉Ｃにおける扉体４４の左上隅部内側に支持部材４８が配設されており、該支持部材４８の筒部４８ａに配設した可動軸４９における軸部４９ａの上端部が、前記受け具２６の受け片部２６ａに形成された前記軸孔４１に下方から嵌挿連結されるようになっている。前記可動軸４９は略Ｌ字形に折曲げ成形され、前記軸部４９ａが筒部４８ａに挿通されて上下動可能に装着されると共に、筒部４８ａから下方に延出する可動軸４９の係止部４９ｂと扉体４４との間に接続された引張りコイルバネ５０により、該可動軸４９は常には上方へ付勢されて前記軸部４９ａの上端部を筒部４８ａから上方へ突出させた状態に保持されている。
【００２０】
図４および図５に示すように、前記開閉板５１の左上隅部外側に上支持具５２がビス固定され、該上支持具５２の水平片部５２ａに形成した軸孔５３に、前記前枠Ｂの下支持受具４３に配設した前記支軸４６の下軸部４６ｂが上方から嵌挿連結されるようになっている。また、前枠Ｂの枠体１４における左端前面の中段下方に下支持受具５４がビス固定されると共に、前記開閉板５１の左下隅角部に下支持具５５が固定され、該下支持具５５に配設した可動軸５６における軸部５６ａの下端部を、下支持受具５４の水平片部５４ａに形成した軸孔５７に上方から嵌挿連結することで、前枠Ｂに対して開閉板５１が開閉自在に連結支持されるよう構成される。前記可動軸５６は略Ｌ字形に折曲げ成形され、下支持具５５の上下端に形成した支持片５５ａ,５５ａ間に挿通されて上下動可能に装着され、両支持片５５ａ,５５ａ間に臨む部位に設けたフランジ部５６ｂと上の支持片５５ａとの間の軸部５６ａに外装された圧縮コイルバネ５８により、該可動軸５６は常には下方へ付勢されて、前記軸部５６ａの下端部を下の支持片５５ａから下方へ突出させた状態に保持されている。
【００２１】
【実施例の作用】
前述した本実施例のパチンコ機Ｐは、製造工程等において前枠Ｂの各部に前述した各種の遊技用構成部材や関連付属部品が組付けられると共に遊技盤Ｄが収容セットされ、最終的にこの前枠Ｂ全体が外枠Ａに組付け支持されて構成される。そして、１台毎に取扱われて保管または出荷(運送)される一方、遊技店内等の設置枠台に設置されて遊技に供される。
【００２２】
(外枠Ａに対する前枠Ｂの組付け)
そこで先ず、機体をなす外枠Ａおよび前枠Ｂの組付け態様について説明する。本実施例のパチンコ機における上下の連結手段Ｈ1,Ｈ2は、前述したように、下の連結手段Ｈ2が軸・孔の上下嵌挿連結タイプであり、また上の連結手段Ｈ1が軸・孔の側方嵌合ロックタイプとして構成されていることから、外枠Ａに対する前枠Ｂの組付けに際しては、先ず下の連結手段Ｈ2の連結作業を行ない、次いで上の連結手段Ｈ1の連結作業を行なう。すなわち、下の連結手段Ｈ2の連結作業では、床面上または設置枠台等に縦向きに保持された外枠Ａに対して前枠Ｂを適宜高い位置に保持したもとで、外枠Ａの下支持受具２０に対して前枠Ｂの下支持具２１を上方に位置合わせし、軸孔２３に支軸２２の軸部２２ａを嵌挿することにより、下支持受具２０および下支持具２１が連結される。なお、前記支軸２２と軸孔２３は、前述したように、嵌め合い公差的な嵌挿条件により嵌挿連結されるので、前枠Ｂを適宜傾斜姿勢に保持していても両者２２,２３が至極簡単に嵌挿される(図９参照)。
【００２３】
そして下の連結手段Ｈ2の連結が完了したら、次いで上の連結手段Ｈ1における軸孔２７に支軸２５を嵌合させる。例えば図１２に示すように、外枠Ａに対する前枠Ｂの開放角度を略９０度に保持した状態において、該前枠Ｂを下の連結手段Ｈ2を中心として起立変位させ、受け具２６と開閉部材２８により形成された受出し口２９に対し、外枠Ａに固定した支持具２４の支軸２５を相対的に位置合わせする(図１２(ａ)参照)。そして前枠Ｂの上部を外枠Ａ側へ押し込むと、前記支軸２５の側面が、ロック拘束位置(閉鎖位置)に付勢されている開閉部材２８におけるレバー体３３の案内面３７に当接し、該レバー体３３はねじりバネ３６の付勢弾力に抗して支ピン３１を中心としてロック解除位置方向(図１２における反時計方向)へ旋回動されるから、軸孔２７の開口側面を開放するようになる(図１２(ｂ)参照)。このとき支軸２５は、外枠Ａに対する前枠Ｂの近接移動のもとに案内面３７に沿って案内され、軸孔２７の開口側面方向へ相対的に移動する。そして、前枠Ｂの姿勢変位のもとに支軸２５が軸孔２７内に完全に嵌合すると、該支軸２５と案内面３７との当接が解除されるようになるから、レバー体３３はねじりバネ３６の弾力下に図１２における時計方向へ回動して元のロック拘束位置に復帰し、軸孔２７の開口側面は該レバー体３３の開閉部３８により閉鎖されて支持具２４および受け具２６が連結される(図１２(ｃ)参照)。この上の連結手段Ｈ1の連結に際して、前記受出し口２９は前枠１４の厚み方向に常に開口しているので、前記支軸２５を広角範囲から受入れることができ、外枠Ａに対して前枠Ｂを左右の広範囲に亘る任意の方向・姿勢において組付け連結することができる。
【００２４】
このように、上下の連結手段Ｈ1,Ｈ2の連結が完了した本実施例のパチンコ機では、下の連結手段Ｈ2については、下支持受具２０の支軸２２と下支持具２１の軸孔２３の嵌挿連結を含む強固な構造に以って前枠Ｂ全体の荷重を好適に受けつつ連結強度が維持されると共に、上の連結手段Ｈ1については、受け具２６の軸孔２７および開閉部材２８の開閉部３８により支持具２４の支軸２５を好適に嵌合保持し得る構造により、前枠Ｂを外枠Ａに好適に組付け保持することができる。また上の連結手段Ｈ1においては、例えば前枠Ｂの開閉操作中において、軸孔２７に嵌合している支軸２５がロック拘束位置に付勢保持されているレバー体３３の開閉部３８を押圧したとしても、レバー体３３がロック解除方向に回動することはないから、このような前枠Ｂの開閉操作時に支軸２５が軸孔２７から抜け出ることはない。なお、外枠Ａに前枠Ｂを閉鎖セットした状態においては、図７に示すように、開閉部材２８のレバー体３３における摘み３９が、外枠Ａの上枠部材１０の前端面に当接していることから、この状態でのレバー体３３の旋回動も全く不可能となり、パチンコ機の運送中や遊技中に該前枠Ｂが不用意に外れることもない。
【００２５】
なお、前述した上の連結手段Ｈ1の連結例では、外枠Ａに対して前枠Ｂを約９０度の開放角度に保持した状態での両枠Ａ,Ｂの組付け態様を示したが、本実施例のパチンコ機では、前述したように、受出し口２９が広く開口されて支軸２５を広角範囲から受入れ得るようになっているから、図１１に示すように、外枠Ａに対する前枠Ｂの開放角度が、閉鎖状態に対して約３０〜１５０度の範囲内となっていれば、両枠Ａ,Ｂを好適に連結することができる。すなわち機体の組付けにあたっては、外枠Ａに対して前枠Ｂを左右の広範囲に亘る任意の方向,姿勢において、両手で前枠Ｂ側全体を支えながら外枠Ａ側の支軸２５と前枠Ｂ側の軸孔２７とを互いに横嵌め連結してロック保持させることができ、作業者の「右利き,左利き,体格(身長)」等の個体差に拘らず手早く安全にかつ楽に組付け作業を行なうことができる。
【００２６】
(外枠Ａに対する前枠Ｂの組外し)
次に、機体をなす外枠Ａおよび前枠Ｂの組外し態様について説明する。本実施例のパチンコ機における上下の連結手段Ｈ1,Ｈ2は、前述したように、下の連結手段Ｈ2が軸・孔の上下嵌挿連結タイプであり、また上の連結手段Ｈ1が軸・孔の側方嵌合ロックタイプとして構成されていることから、外枠Ａに対する前枠Ｂの組外しに際しては、先ず上の連結手段Ｈ1の分離作業を行ない、次いで下の連結手段Ｈ2の分離作業を行なう。すなわち、外枠Ａに対して前枠Ｂを略９０度に開放した状態に保持し、先ず上の連結手段Ｈ1においてロック拘束位置にある開閉部材２８のレバー体３３を旋回動させて、ロック解除位置に臨ませる。これにより、レバー体３３の開閉部３８が軸孔２７の開口側面から離間し、該開口側面が開放した状態となる。そして、前枠Ｂの上部を外枠Ａに対して所要方向(図１２の左側)へ移動(傾動)させることにより、支軸２５が開口側面を介して軸孔２７内から受出し口２９ヘ抜け出るようになり、該支軸２５と軸孔２７との嵌合が解除される。更に、前枠Ｂの上部を外枠Ａに対して離間する方向(手前側)へ移動させることにより上の連結手段Ｈ1が完全に分離され、また開閉部材２８のレバー体３３はねじりバネ３６の付勢弾力のもとに元のロック拘束位置へ復帰する。次いで、外枠Ａに対して適宜傾斜した姿勢状態となっている前枠Ｂを上方へ移動させることにより、下の連結手段Ｈ2においては軸孔２３から支軸２２が抜け出て、外枠Ａから前枠Ｂが完全に組外される。
【００２７】
なお、本実施例のパチンコ機では、前述したように受出し口２９が広く開口されているから、外枠Ａに対する前枠Ｂの開放角度が、閉鎖状態に対して約３０〜１５０度の範囲内となっていれば、両枠Ａ,Ｂを好適に組外すことができる。すなわち機体の組外しにあたっては、外枠Ａに対して前枠Ｂを左右の広範囲に亘る任意の方向,姿勢において、両手で前枠Ｂ側全体を支えながら外枠Ａ側の支軸２５と前枠Ｂ側の軸孔２７とを互いに分離させることができ、作業者の「右利き,左利き,体格(身長)」等の個体差に拘らず手早く安全にかつ楽に組外し作業を行なうことができる。しかも開閉部材２８は、レバー体３３を前枠Ｂの後方(裏面側)へ突出する向きに旋回動させることでロック解除状態となることから、該レバー体３３を操作保持する手指と前枠Ｂの上隅部が干渉する危険が全く無い。
【００２８】
なお、実施例のパチンコ機Ｐでは、前記前枠Ｂに対してガラス扉Ｃおよび開閉板５１が着脱自在に連結支持されるようになっているので、前枠Ｂに対するガラス扉Ｃおよび開閉板５１の組付けおよび組外しの作用につき簡単に説明する。
【００２９】
(前枠に対するガラス扉の組付けおよび組外し)
前記ガラス扉Ｃを前枠Ｂに横開きの開閉可能に組付ける場合は、先ず前枠Ｂ側の下支持受具４３に配設した支軸４６の上軸部４６ａに、ガラス扉Ｃ側の下支持具４５の軸孔４７を上方から整合させて該上軸部４６ａを軸孔４７へ嵌挿させる。次いで、ガラス扉Ｃ側の可動軸４９を下方へ押下げた状態で、その軸部４９ａを前枠Ｂの受け具２６に形成した軸孔４１に整合させ、該可動軸４９に対する押圧を解除することで軸部４９ａが引張りコイルバネ５０の付勢弾力のもとに上方に引上げられて軸孔４１に突入し、ガラス扉Ｃは前枠Ｂに対して横開きの開閉が可能に組付けられる。また前枠Ｂからガラス扉Ｃを組外す場合は、組付け時とは逆に、受け具２６の軸孔４１から可動軸４９を抜き外した後に、下支持具４５の軸孔４７を下支持受具４３における支軸４６の上軸部４６ａから抜き外すことで、前枠Ｂからガラス扉Ｃが完全に組外される。
【００３０】
(前枠に対する開閉板の組付けおよび組外し)
前記開閉板５１を前枠Ｂに横開きの開閉可能に組付ける場合は、先ず前枠Ｂ側の下支持受具４３に配設した支軸４６の下軸部４６ｂに、開閉板５１側の上支持具５２の軸孔５３を下方から整合させて該下軸部４６ｂを軸孔５３へ嵌挿させる。次いで、開閉板５１側の可動軸５６を上方へ引上げた状態で、その軸部５６ａの先端を前枠Ｂの下支持受具５４に形成した軸孔５７に整合させ、該可動軸５６に対する引上げ力を解除することで軸部５６ａが圧縮コイルバネ５８の付勢弾力のもとに押下げられて軸孔５７に突入し、開閉板５１は前枠Ｂに対して横開きの開閉が可能に組付けられる。また前枠Ｂから開閉板５１を組外す場合は、組付け時とは逆に、下支持受具５４の軸孔５７から可動軸５６を抜き外した後に、上支持具５２の軸孔５３を下支持受具４３における支軸４６の下軸部４６ｂから抜き外すことで、前枠Ｂから開閉板５１が完全に組外される。
【００３１】
実施例の連結支持装置では、前枠Ｂを外枠Ａに組付けるための上の連結手段Ｈ1の受け具２６が、ガラス扉Ｃを前枠Ｂに組付けるための連結手段を兼用するよう構成されている。すなわち、ガラス扉Ｃの連結のみに用いられる手段を省略して部品点数を少なくすることができ、組付け工程数の低減や組付けの合理化を図り得ると共に、製造コストを低減させることができる。
【００３２】
【発明の効果】
以上に説明した如く、本発明に係る縦型遊技機の連結支持装置によれば、外枠と前枠との連結手段について、下の連結手段を軸・孔の上下嵌挿連結タイプとし、上の連結手段を軸・孔の側方嵌合ロックタイプとしたことで、下の連結手段を介して外枠に前枠の下部を連結して該前枠の重量を該下の連結手段で支持したもとで、上の連結手段を介して前枠の上部を外枠に手早く簡単に連結することができる。すなわち、遊技構成部材や遊技盤を搭載した重量のある前枠を支えつつ位置合わせ作業を行なう必要はなく、作業者の労働軽減に寄与する。また、上の連結手段における開閉部材に形成した受出し口を前枠における枠体の厚み方向に常に広く開口するようにしたから、支軸を広角範囲から受入れることができ、外枠に対して前枠を左右の広角範囲に亘る任意の方向・姿勢において組付け連結することが可能である。
【図面の簡単な説明】
【図１】本実施例のパチンコ機を概略で示す正面図である。
【図２】本実施例のパチンコ機における外枠を概略で示す正面図である。
【図３】本実施例のパチンコ機における前枠を概略で示す正面図である。
【図４】本実施例の連結支持装置の連結形態を概略で示す要部拡大図である。
【図５】本実施例の連結支持装置の連結形態を概略で示す分解斜視図である。
【図６】外枠と前枠の連結状態で上下の連結手段を破断して示す要部正面図である。
【図７】上の連結手段を示す平面図である。
【図８】上の連結手段の要部を拡大して示す平面図である。
【図９】上の連結手段を非連結状態で示す側面図である。
【図１０】上の連結手段を連結状態で示す側面図である。
【図１１】外枠に対する前枠の組付けまたは組外しが可能な方向を平面状態で示す説明図である。
【図１２】外枠と前枠との組付け時における上の連結手段の連結態様を経時的に示す説明図である。
【図１３】外枠と前枠との組付けに係る従来の上下の連結手段の一例を示す説明図である。
【符号の説明】
２２ 支軸
２３ 軸孔
２４ 支持具
２５ 支軸
２６ 受け具
２７ 軸孔
２８ 開閉部材
２９ 受出し口
３０ 軸受片(軸受部)
３６ ねじりバネ(バネ)
３７ 案内面
３８ 開閉部
Ａ 外枠
Ｂ 前枠
Ｈ1 上の連結手段
Ｈ2 下の連結手段
【図１】
0003777563.tif 000002
【図２】
0003777563.tif 000003
【図３】
0003777563.tif 000004
【図４】
0003777563.tif 000005
【図５】
0003777563.tif 000006
【図６】
0003777563.tif 000007
【図７】
0003777563.tif 000008
【図８】
0003777563.tif 000009
【図９】
0003777563.tif 000010
【図１０】
0003777563.tif 000011
【図１１】
0003777563.tif 000012
【図１２】
0003777563.tif 000013
【図１３】
0003777563.tif 000014